(57)【要約】【課題】アルコール混合燃料を使用した場合において始動期間燃料噴射量が過剰に多くなることの抑制を図った燃料噴射量制御装置及び燃料噴射量制御システムを提供する。【解決手段】アルコール混合有りと判定された場合に始動期間燃料噴射量を設定するにあたり、始動時温度が所定範囲であると判定された場合には所定範囲でないと判定された場合に比べて小さく設定する。これによれば、始動時温度が所定範囲である場合にアルコール混合燃料の共沸現象がエンジン出力をアップさせるタイミングで始動期間燃料噴射量を小さくさせるので、その噴射量が過剰に多くなることを抑制できる。【選択図】      図３
2009079582.tif 000002
【特許請求の範囲】
【請求項１】
内燃機関の燃焼に用いる正規燃料にアルコールが混合されているか否かを判定するアルコール混合判定手段と、
前記内燃機関の始動時温度が所定範囲であるか否かを判定する始動時温度判定手段と、
前記内燃機関の始動期間における始動期間燃料噴射量を設定する設定手段と、
を備え、
前記設定手段は、前記アルコール混合判定手段によりアルコール混合有りと判定された場合に前記始動期間燃料噴射量を設定するにあたり、前記始動時温度判定手段により前記始動時温度が所定範囲であると判定された場合には所定範囲でないと判定された場合に比べて小さく設定することを特徴とする燃料噴射量制御装置。
【請求項２】
前記設定手段は、
前記アルコール混合判定手段によりアルコール混合有りと判定された場合に前記始動期間燃料噴射量を設定するにあたり、前記始動時温度判定手段により前記始動時温度が所定範囲であると判定された場合には所定範囲でないと判定された場合に比べて減量させるよう補正する補正手段を有することを特徴とする請求項１に記載の燃料噴射量制御装置。
【請求項３】
燃料噴射弁からの燃料を吸気ポートに噴射するポート噴射式の内燃機関に適用され、
前記設定手段は、前記内燃機関の始動後、前記吸気ポートの温度が予め設定された所定温度に達するまで前記小さくする設定を実行し、前記所定温度に達した後は前記小さくする設定を禁止することを特徴とする請求項１又は２に記載の燃料噴射量制御装置。
【請求項４】
全燃料に対するアルコールの濃度を取得するアルコール濃度取得手段を備え、
前記設定手段は、前記アルコール濃度取得手段により取得されたアルコール濃度が所定範囲であることを条件として前記小さくする設定を行うことを特徴とする請求項１〜３のいずれか１つに記載の燃料噴射量制御装置。
【請求項５】
全燃料に対するアルコールの濃度を取得するアルコール濃度取得手段を備え、
前記設定手段は前記小さくする設定を行うにあたり、前記アルコール濃度取得手段により取得されたアルコール濃度が高いほどより小さく設定することを特徴とする請求項１〜４のいずれか１つに記載の燃料噴射量制御装置。
【請求項６】
前記正規燃料はガソリンであることを特徴とする請求項１〜５のいずれか１つに記載の燃料噴射量制御装置。
【請求項７】
前記正規燃料は軽油であることを特徴とする請求項１〜５のいずれか１つに記載の燃料噴射量制御装置。
【請求項８】
燃料噴射弁と、請求項１〜７のいずれか１つに記載の燃料噴射量制御装置とを備えることを特徴とする燃料噴射量制御システム。
【発明の詳細な説明】
【技術分野】
【０００１】
本発明は、内燃機関の燃焼に用いる正規燃料へのアルコール混合有無に応じた燃料噴射制御を行う燃料噴射量制御装置及び燃料噴射量制御システムに関する。
【背景技術】
【０００２】
近年では、ガソリンや軽油（以下、これらを正規燃料と呼ぶ）の代替燃料としてエタノール等のアルコールが注目されている。そして、燃料タンクに正規燃料が残っている状態でアルコールを補給してアルコール混合燃料とした場合を想定すると、アルコール混合燃料による燃焼エネルギは同じ量の正規燃料による燃焼エネルギに比べて小さいため、同じ出力トルクを得ようとすると、アルコール混合燃料の場合には正規燃料の場合に比べて燃料噴射量を多くさせる必要がある（特許文献１参照）。
【特許文献１】特開平１−２１６０４０号公報
【発明の開示】
【発明が解決しようとする課題】
【０００３】
ところで、ガソリン等の正規燃料に比べてアルコールは揮発性が低い（気化しにくい）ものの、アルコールを正規燃料に混合してアルコール混合燃料とすると、正規燃料よりも揮発性が高くなるといった共沸現象が生じる。
【０００４】
ここで、一般的に、内燃機関の冷間始動時には、燃料の揮発性が低いため、始動時の燃料噴射量を多く設定することで、始動時の燃焼が安定して行われるようしている。より具体的には、内燃機関の冷間始動時には、噴射した燃料が液体の状態で吸気ポートや燃焼室内に一旦付着し、その後、付着した液体状態の燃料が徐々に気化し、その気化燃料が着火して燃焼し始めるため、燃料の揮発性が低くなっている分、始動時の燃焼を安定させるために、始動時の燃料噴射量を多く設定している。また、アルコール混合燃料を用いた場合には、正規燃料の場合に比べて燃焼エネルギが小さいことを考慮して、更に燃料噴射量を多く設定している（特許文献１参照）。
【０００５】
しかしながら、内燃機関の始動時において、共沸現象による揮発性の変化を考慮せずに、正規燃料の場合に比べて燃料噴射量を単純に多く設定していると、燃料噴射量を過剰に（不必要に）多くさせることとなる、といった不具合が生じることが考えられる。
【０００６】
そこで、本発明は、上記課題を解決するためになされたものであり、その目的は、アルコール混合燃料を使用した場合において始動期間燃料噴射量が過剰に多くなることの抑制を図った燃料噴射量制御装置及び燃料噴射量制御システムを提供することにある。
【課題を解決するための手段】
【０００７】
以下、上記課題を解決するための手段、及びその作用効果について記載する。
【０００８】
＜請求項１について＞
請求項１記載の発明では、内燃機関の燃焼に用いる正規燃料にアルコールが混合されているか否かを判定するアルコール混合判定手段と、前記内燃機関の始動時温度が所定範囲であるか否かを判定する始動時温度判定手段と、前記内燃機関の始動時における始動期間燃料噴射量を設定する設定手段と、を備え、前記設定手段は、前記アルコール混合判定手段によりアルコール混合有りと判定された場合に前記始動期間燃料噴射量を設定するにあたり、前記始動時温度判定手段により前記始動時温度が所定範囲であると判定された場合には所定範囲でないと判定された場合に比べて小さく設定することを特徴とする。
【０００９】
ここで、本発明者は、試験を行い、エタノール濃度（アルコール濃度）が高いほど共沸現象により揮発性が高くなる知見を得た。また、本発明者は、使用する燃料の揮発性の違いよる、内燃機関始動時の出力軸回転速度（エンジン回転速度）の挙動の違いに着目して、エンジン（内燃機関）の始動時のエンジン回転速度の変化を、アルコール混合燃料と正規燃料との各々の場合で計測する試験を行った。また、始動時エンジン温度の条件を変化させて同様の試験を実施した。その結果、本発明者は、「内燃機関の始動時温度が所定範囲以内であれば、アルコール濃度が０パーセントの正規燃焼のエンジン回転速度（出力回転速度）のピーク値よりも、アルコールが混合されている燃料（アルコール混合燃料）のエンジン回転速度のピーク値の方が高い値となる」という知見を得た。すなわち、始動時エンジン温度が高すぎると、低揮発性の燃料であっても噴射燃料は直ちに気化することとなるため、燃料の揮発性の違いがエンジン回転速度の変化の違いとして現れなくなる。また、始動時エンジン温度が低すぎると、高揮発性の燃料であっても噴射燃料はなかなか気化しないこととなるため、燃料の揮発性の違いがエンジン回転速度の変化の違いとして現れなくなる。つまり、アルコールが混合された燃料が用いられ、且つ、始動時温度が所定範囲である場合には、共沸現象の影響により、始動期間燃料噴射量が過剰に多くなることがわかった。
【００１０】
そこで、本発明は、アルコール混合有りの場合に始動期間燃料噴射量を設定するにあたり、始動時温度が所定範囲である場合には所定範囲でないと判定された場合に比べて小さく設定する。これによれば、始動時温度が所定範囲である場合にアルコール混合燃料の共沸現象がエンジン出力をアップさせる期間中、始動期間燃料噴射量が小さく設定される。そのため、内燃機関の出力軸の回転速度（エンジン回転速度）のピーク値が、過剰に高くなってしまうことを抑制でき、ひいては、始動期間燃料噴射量が過剰に多くなることを抑制できる。
【００１１】
＜請求項２について＞
また、請求項２記載の発明のように、アルコール混合有りの場合に始動期間燃料噴射量を設定するにあたり、始動時温度が所定範囲である場合には所定範囲でないと判定された場合に比べて減量させるよう補正する補正手段を有すると良い。このように補正することで始動期間燃料噴射量を設定しても、内燃機関の出力軸の回転速度（エンジン回転速度）のピーク値が、過剰に高くなってしまうことを抑制でき、ひいては、始動期間燃料噴射量が過剰に多くなることを抑制できる。
【００１２】
＜請求項３について＞
図４にて例示される如く、各々のアルコール濃度に対するピーク値ＮＥＰ(0)，ＮＥＰ(10)，ＮＥＰ(20)が発生した後、図中の符号ｔ１に示すようにエンジン回転速度はアルコール濃度に拘わらず同じ値に近づく。このことは次の理由によると考察される（なお、図４において、実線はアルコールが混合していない正規燃料、図中の点線はアルコールが全体量に対して１０％混合しているアルコール濃度１０％の混合燃料、図中の一点鎖線はアルコール濃度２０％の混合燃料の計測結果を示す）。すなわち、内燃機関の運転に伴い温度が上昇すると、低揮発性の燃料であっても噴射燃料は直ちに気化することとなるため、共沸現象による燃料の揮発性の違いがエンジン回転速度の違いとして現れなくなる。ちなみに、図４には経過時間１０ｓｅｃまでの試験結果が示されているが、１０ｓｅｃ以降においては、アルコール混合燃料の燃焼エネルギが小さいことに起因して、アルコール濃度が高いほどエンジン回転速度は低下する。
【００１３】
以上により、上記ｔ１範囲にてエンジン回転速度がアルコール濃度に拘わらず同じ値に近づく時点（以下、単にｔ１時点と呼ぶ）以降は、設定手段による小さくする設定を禁止することで燃料噴射量が過剰に少なくなることを回避できる、との知見を本発明者は得た。さらに、燃料噴射弁からの燃料を吸気ポートに噴射するポート噴射式の内燃機関においては、噴射燃料が直ちに気化するか否かは吸気ポートの温度に大きく依存する（つまり、ｔ１時点のタイミングは吸気ポート温度に大きく依存する）ことに本発明者は着目した。具体的には、吸気ポート温度がある所定温度に達した時点（ｔ１に相当する時点）で、共沸現象による燃料の揮発性の違いがエンジン回転速度の違いとして現れなくなる。
【００１４】
これらの知見及び着目に基づき、請求項３記載の発明では、燃料噴射弁からの燃料を吸気ポートに噴射するポート噴射式の内燃機関に適用され、前記設定手段は、前記内燃機関の始動後、前記吸気ポートの温度が予め設定された所定温度に達するまで前記小さくする設定を実行し、前記所定温度に達した後は前記小さくする設定を禁止することを特徴とする。そのため、共沸現象による燃料の揮発性の違いがエンジン回転速度の違いとして現れなくなるｔ１の時点以降において、燃料噴射量が過剰に少なくなることを回避できる。
【００１５】
＜請求項４について＞
ここで、共沸現象はアルコール濃度が低すぎると顕著に現れなくなることは勿論であるが、ガソリンの性状等によってはアルコール濃度が高すぎても共沸現象が顕著に現れなくなり揮発性が低下することがある。
【００１６】
そこで、請求項４記載の発明では、正規燃料とアルコールとが混入された全燃料に対するアルコールの濃度を取得するアルコール濃度取得手段を備え、前記設定手段は、前記アルコール濃度取得手段により取得されたアルコール濃度が所定範囲であることを条件として前記小さくする設定を行うことを特徴とする。これによれば、共沸現象が顕著に現れる条件（アルコール濃度が所定範囲であるとの条件）を満たす場合に前記小さくする設定を行うので、共沸現象が顕著に現れない時に小さくする設定を行ってしまい、始動期間燃料噴射量が適正値よりも少なくなってしまうおそれを低減できる。
【００１７】
＜請求項５について＞
上記図４の試験結果に現れているように、アルコール濃度が高いほど共沸現象に起因したピーク値上昇の度合いが大きくなる。このことは、本発明に反して共沸現象を考慮せずに始動時温度とは無関係に始動期間燃料噴射量を設定した場合には、アルコール濃度が高いほど始動期間燃料噴射量の過多量が多くなることを意味する。
【００１８】
そこで、請求項５記載の発明では、前記正規燃料に対するアルコールの濃度を取得するアルコール濃度取得手段を備え、前記設定手段は前記小さくする設定を行うにあたり、前記アルコール濃度取得手段により取得されたアルコール濃度が高いほどより小さく設定することを特徴とする。そのため、アルコール濃度に応じて始動期間燃料噴射量が最適な量に近づけられるので、始動期間燃料噴射量が過剰に多くなることをアルコール濃度に応じてきめ細かく抑制できる。
【００１９】
＜請求項６，７について＞
なお、正規燃料はガソリンであることを特徴とする。
また、正規燃料は軽油であっても良い。
【００２０】
＜請求項８について＞
請求項８記載の発明では、燃料噴射弁と上記燃料噴射量制御装置とを備えることを特徴とする燃料噴射量制御システムである。この燃料噴射量制御システムによれば、上述の各種効果を同様に発揮することができる。
【発明を実施するための最良の形態】
【００２１】
以下、本発明に係る燃料噴射量制御装置を具体化した一実施形態について説明する。なお、ここでは一例として、特にこの装置が、４輪自動車用のレシプロ式エンジン（内燃機関）を対象にしてエンジン制御を行うシステム（エンジン制御システム）に組み込まれた場合について説明する。また、本実施形態が対象とするエンジンは正規燃料をガソリンとした点火式エンジンであり、このガソリンにアルコールを混合したアルコール混合燃料を用いても対応できるように図られたエンジンである。本実施形態では混合するアルコールとしてエタノールを想定している。
【００２２】
図１は、エンジン制御システムの概要を示す構成図であり、エンジンＥＣＵ１０（燃料噴射量制御装置）には、クランク角センサ２１（回転速度センサ）、吸気量センサ２２、冷却水温度センサ２３、シリンダ温度センサ２４及びアルコールセンサ２５からの検出信号が入力される。クランク角センサ２１はエンジン３０のクランク軸３１（出力軸）の回転速度ＮＥを検出する。吸気量センサ２２は吸入空気流量Ｑ（エンジン負荷）を検出する。冷却水温度センサ２３はエンジン冷却水の温度ＴＷを検出する。シリンダ温度センサ２４はシリンダブロック３２に取り付けられてシリンダブロック３２の温度ＴＥ（エンジン３０の温度）を検出する。
【００２３】
アルコールセンサ２５は、図示しない燃料タンク内に設けられており、燃料中のアルコール濃度Ｃを検出する。このアルコールセンサ２５は、燃料中に浸漬された１対の白金電極を有し、アルコール濃度に応じた電極間の抵抗値の変化により、出力電圧Ｖが変化するものである。この他、静電容量型のアルコールセンサを用いてもよい。
【００２４】
エンジンＥＣＵ１０はマイクロコンピュータを有しており、各種検出信号ＮＥ，Ｑ，ＴＷ，ＴＥ，Ｃ等に基づき燃料噴射弁３３の作動を制御することで、燃焼室に流入する燃料の噴射量及び噴射時期を制御する。なお、燃料噴射弁３３は吸気ポート３４に取り付けられており、燃料を吸気ポート３４に噴射するポート噴射式が本実施形態では採用されている。
【００２５】
次に、燃料噴射量（１燃焼サイクルあたりに噴射される燃料の量）の設定手法について図１を用いて以下に説明する。
【００２６】
エンジンＥＣＵ１０は、基本噴射量算出手段１１、補正量算出手段１２、噴射量設定手段１３、アルコール補正量算出手段１４、アルコール補正抑制手段１５及び吸気ポート温度推定手段１６等を備えている。燃料噴射量の設定はこれらの手段１１〜１６（特許請求の範囲に記載の設定手段に相当）により実行される。これらの手段１１〜１６はマイクロコンピュータのプラグラムにより機能するものである。但し、当該プログラムに相当する回路をハード的に構成させてもよい。
【００２７】
エンジン３０の始動を開始した時点（クランキング開始時点）からエンジン回転速度ＮＥが設定値（例えば５００ｒｐｍ）を超えるまでは、冷却水温度ＴＷに応じて吸入空気流量Ｑとは無関係に燃料噴射量（始動時噴射量）を設定する。この設定は噴射量設定手段１３によりなされ、この設定による燃料噴射を始動時噴射と呼ぶ。なお、上記設定値は、スタータモータからクランク軸３１への動力伝達が遮断されるクランキング上限値に設定して好適である。
【００２８】
一方、エンジン回転速度ＮＥが設定値を超えた後は、エンジン回転速度ＮＥと、吸入空気流量Ｑにより算出されるエンジン負荷とに基づき基本噴射量を算出するとともに、後に詳述する始動後増量、暖機増量、加速増量等の補正量を算出する。そして、基本噴射量に補正量を加算して最終的な噴射量を設定する。前記基本噴射量の算出は基本噴射量算出手段１１によりなされ、前記補正量の算出は補正量算出手段１２によりなされ、前記最終的な噴射量の設定は噴射量設定手段１３によりなされる。このように基本噴射量に補正量を加算して設定された燃料噴射を通常時噴射と呼ぶ。
【００２９】
ちなみに、始動時噴射量は基本噴射量に対して極めて多い量（例えば２倍以上）である。そこで、始動時噴射から通常時噴射に切り換わる時に噴射量が急激に少なくなることを回避すべく、始動後増量により徐々に噴射量が少なくなるように設定される。よって、始動後増量の値は、始動時噴射量と基本噴射量との差分に基づき算出されるとともに、通常時噴射に切り換わった時点から徐々に少なくなるように算出される。また、暖機増量は冷間時に燃焼を安定させるためのものであり、冷却水温度ＴＷに応じて算出される。
【００３０】
ところで、正規燃料（本実施形態ではガソリン）にアルコール（本実施形態ではエタノール）を混合させたアルコール混合燃料に関し、アルコール混合燃料による燃焼エネルギは同じ量の正規燃料による燃焼エネルギに比べて小さい。よって、同じ出力トルクを得ようとすると、アルコール混合燃料の場合には正規燃料の場合に比べて燃料噴射量を増量させる必要がある。
【００３１】
そこで、アルコール補正量算出手段１４（アルコール混合判定手段）は、アルコールセンサ２５からの検出信号に基づきアルコール混入の有無を判定し、アルコールの混入有りと判定された場合にアルコール補正量を算出する。また、アルコール補正量算出手段１４（アルコール濃度取得手段）は、アルコールセンサ２５の検出信号からアルコール濃度を取得し、取得したアルコール濃度が高いほどアルコール補正量の値を多くするよう算出する。なお、アルコール濃度は、正規燃料とアルコール等が混入された全燃料に対するアルコールの濃度である。
【００３２】
そして、噴射量設定手段１３は、通常時噴射の場合には、補正量算出手段１２により算出された補正量を基本噴射量に加算するとともに、アルコール補正量をも加算して最終的な噴射量を設定する。一方、始動時噴射の場合には、冷却水温度ＴＷに応じて吸入空気流量Ｑとは無関係に算出した先述の始動時噴射量にアルコール補正量を加算して最終的な噴射量を設定する。
【００３３】
ところで、ガソリン等の正規燃料に比べてアルコールは揮発性が低い（気化しにくい）ものの、アルコールを正規燃料に混合してアルコール混合燃料とすると、正規燃料よりも揮発性が高くなるといった共沸現象が生じる。
【００３４】
そこで、本発明者は、正規燃料にアルコールが混入されることにより生じる共沸現象による揮発性の違いを把握するために試験を行った。図３は、当該共沸現象により揮発性が高くなることを表す試験結果であり、燃料温度と蒸発率との関係を示すグラフである。図３中の実線はエタノール濃度０％のガソリン、点線は、前記ガソリンにエタノールを混合したエタノール濃度１０％の混合燃料、一点鎖線は、前記ガソリンにエタノールを混合したエタノール濃度２０％の混合燃料を示す。この試験では、計測する燃料を液体の状態にて４０℃から徐々に加熱していった時に、その燃料が液体の状態でどれだけ残っているかを計測することで、どれだけ蒸発したかを算出した結果である（ＪＩＳ：Ｋ２４２２、ＩＳＯ：５２７７参照）。つまり、温度上昇にともなう蒸発率変化を計測している。この試験結果によれば、エタノール濃度（アルコール濃度）が高いほど共沸現象により揮発性が高くなる。
【００３５】
また、内燃機関の冷間始動時には、噴射した燃料が液体の状態で吸気ポートや燃焼室内に一旦付着し、その後、付着した液体状態の燃料が徐々に気化し、その気化燃料が着火して燃焼し始めるため、使用する燃料の揮発性の違いに応じて、内燃機関始動時の出力軸回転速度（エンジン回転速度）の挙動に違いが現れる。そこで、本発明者は、内燃機関始動時におけるエンジン回転速度の挙動の違いを確認すべく、エンジン（内燃機関）の始動時のエンジン回転速度の変化を、アルコール混合燃料と正規燃料との各々の場合で計測する試験を行った。図４は、当該試験の結果を示すグラフであり、図中の実線はアルコールが混合していない正規燃料、図中の点線はアルコールが全体量に対して１０％混合しているアルコール濃度１０％の混合燃料、図中の一点鎖線はアルコール濃度２０％の混合燃料の計測結果を示す。なお、当該試験では始動時のエンジン温度を２５℃として実施した。
【００３６】
図４に示す試験結果から本発明者は次の知見を得た。すなわち、内燃機関始動時から所定期間Ｔ（例えば３秒）にて現れるエンジン回転速度のピーク値ＮＥＰに関し、アルコール濃度０％の正規燃料のピーク値ＮＥＰ(0)よりも、アルコール混合燃料のピーク値ＮＥＰ(10)，ＮＥＰ(20)の方が高い値となる。
【００３７】
さらに本発明者は、始動時エンジン温度の条件を変化させて同様の試験を実施した。その結果、アルコール濃度の違いによる上記ピーク値ＮＥＰの違いは、始動時エンジン温度が所定範囲外（例えば２０℃〜１００℃の範囲外）の時には顕著に現れない、との知見を得た。このことは次の理由によると考察される。すなわち、始動時エンジン温度が高すぎると、低揮発性の燃料であっても噴射燃料は直ちに気化することとなるため、燃料の揮発性の違いが上記ピーク値ＮＥＰの違いとして現れなくなる。また、始動時エンジン温度が低すぎると、高揮発性の燃料であっても噴射燃料はなかなか気化しないこととなるため、燃料の揮発性の違いが上記ピーク値ＮＥＰの違いとして現れなくなる。
【００３８】
上記知見をまとめると、『内燃機関の始動時温度が所定範囲内であれば、アルコール濃度が０％の正規燃料のピーク値ＮＥＰ(0)よりもアルコール混合燃料のピーク値ＮＥＰ(10)，ＮＥＰ(20)の方が高い値となる』と言うことができる。
【００３９】
つまり、共沸現象を考慮せずに（つまり、冷却水温度ＴＷが所定範囲であるか否かとは無関係に）始動期間燃料噴射量を設定した場合には、始動期間燃料噴射量が過剰に多くなる。なお、前記「始動期間」とは、上述した始動時噴射が実行される期間と、通常時噴射における始動後増量及び暖気増量の少なくとも一方が加算されている期間とを含む期間の総称である。
【００４０】
そこで、アルコール補正抑制手段１５（補正手段、始動時温度判定手段）は、エンジン始動開始時点（クランキング開始時点）における冷却水温度ＴＷが予め設定された所定範囲（例えば２０℃〜１００℃の範囲）である場合には、アルコール補正量算出手段１４により算出されたアルコール補正量を減量するよう補正する。換言すれば、アルコール混合による燃焼エネルギ低減を鑑みて増量補正するにあたり、過剰に増量しないように抑制する。この減量補正による減量の値は、アルコール濃度が高いほど大きい値となるよう算出する。
【００４１】
吸気ポート温度推定手段１６は、シリンダブロック３２の温度ＴＥ（エンジン３０の温度）に基づき、吸気ポート３４の内壁面のうち燃料噴射弁３３に対向する部分（図１中の符号３４ａの部分）の温度を推定する。この温度を吸気ポート温度ＴＰと呼ぶ。そして、アルコール補正抑制手段１５は、吸気ポート温度ＴＰが予め設定された所定温度に達するまで上記減量補正を実行し、前記所定温度に達した後は減量補正の実行を禁止する。
【００４２】
次に、アルコール補正抑制手段１５による処理内容を、図２を用いてより具体的に説明する。図２に示す処理は、エンジンＥＣＵ１０のマイクロコンピュータにより所定の時間周期（例えば１０ｍｓｅｃ周期）又は所定クランク角毎で繰り返し実行される。また、当該処理は、車両乗員によりイグニッションスイッチがオン操作されたことをトリガとして開始される。
【００４３】
そして、アルコール濃度Ｃが所定範囲α１〜β１であり（Ｓ１０：ＹＥＳ）、エンジン始動時の冷却水温ＴＷが所定範囲α２〜β２であり（Ｓ２０：ＹＥＳ）、吸気ポート温度ＴＰが所定温度α３以下である（Ｓ３０：ＹＥＳ）との条件を満たした場合に、ステップＳ４０において、アルコール補正量算出手段１４により算出されたアルコール補正量を減量するよう補正する。つまり、アルコール混合による燃焼エネルギ低減を鑑みて増量補正するにあたり、過剰に増量しないように抑制する。
【００４４】
以上により、図１に示す構成では、アルコール混入有りと判定された場合に燃料噴射量を増量補正する燃料噴射量制御装置において、エンジンの始動時温度が所定範囲であれば、前記増量補正分を減量することとなる。
【００４５】
以上詳述した本実施形態によれば、以下の優れた効果が得られる。
【００４６】
（１）始動時噴射及び通常時噴射による噴射量（始動期間燃料噴射量）を設定するにあたり、アルコール混合有りの場合にはアルコール補正量の分だけ噴射量が増量されるものの、エンジン始動開始時点における冷却水温度ＴＷが所定範囲α２〜β２である場合には、アルコール補正量が減量される。これによれば、アルコール混合燃料の共沸現象がエンジン出力をアップさせる期間中、始動期間燃料噴射量が減量されるので、アルコール混合による燃焼エネルギ低減を鑑みて増量補正するにあたり、過剰に増量しないように抑制される。そのため、エンジン回転速度ＮＥのピーク値ＮＥＰが、図４に示すように過剰に高くなってしまうことを抑制でき、ひいては、始動期間燃料噴射量が過剰に多くなることを抑制できる。
【００４７】
（２）吸気ポート温度ＴＰが所定温度α３に達するまでは、アルコール補正抑制手段１５によりアルコール補正量の減量補正が実行され、吸気ポート温度ＴＰが所定温度α３に達した後は、前記減量補正が禁止される。そのため、共沸現象による燃料の揮発性の違いがエンジン回転速度の違いとして現れなくなる先述した図４中のｔ１時点（つまり、吸気ポート温度ＴＰが所定温度α３に達したと推定される時点）以降において、始動期間燃料噴射量が過剰に少なくなることを回避できる。
【００４８】
（３）アルコール補正抑制手段１５によるアルコール補正量の減量補正は、アルコール濃度Ｃが所定範囲α１〜β１であることを条件として実行される。そのため、共沸現象が顕著に現れる条件（アルコール濃度Ｃが所定範囲α１〜β１であるとの条件）を満たす場合に、アルコール補正抑制手段１５によるアルコール補正量の減量補正が実行されるので、共沸現象が顕著に現れない時に減量補正を実行してしまい、始動期間燃料噴射量が適正値よりも少なくなってしまうおそれを低減できる。
【００４９】
（４）アルコール補正抑制手段１５によるアルコール補正量の減量補正の値は、アルコール濃度が高いほど大きい値となるよう算出される。そのため、アルコール濃度に応じて始動期間燃料噴射量が最適な量に近づけられるので、始動期間燃料噴射量が過剰に多くなることをアルコール濃度に応じてきめ細かく抑制できる。
【００５０】
（その他の実施形態）
本発明は上記実施形態の記載内容に限定されず、上記各実施形態の特徴的構造をそれぞれ任意に組み合わせるようにしてもよい。また、例えば次のように実施しても良い。
【００５１】
・上記実施形態では、アルコール補正抑制手段１５を始動期間中に機能させるにあたり、その始動期間を、始動時噴射が実行される期間と、通常時噴射における始動後増量及び暖気増量の少なくとも一方が加算されている期間とを含む期間としているが、始動時噴射が実行される期間のみとしてもよいし、エンジン始動開始時点（クランキング開始時点）又は燃焼が完爆した時点から予め設定された期間としてもよい。
【００５２】
・上記実施形態では、アルコール補正抑制手段１５による減量補正を、吸気ポート温度ＴＰが所定温度に達するまで実行させており、その吸気ポート温度ＴＰをシリンダブロック３２の温度ＴＥ（エンジン３０の温度）に基づき推定しているが、排気温度や吸気温度に基づき推定するようにしてもよい。また、冷却水温ＴＷに基づき推定してもよいが、この場合、吸気ポート３４の内壁面３４ａの温度上昇に対する冷却水温ＴＷの温度上昇は応答遅れが大きいことを考慮しなければならない。
【００５３】
・上記実施形態では、アルコール補正抑制手段１５による減量補正量をアルコール補正量から減算させているが、本発明は減量補正量をアルコール補正量から減算させる手法に限定されるものではなく、例えば、補正量算出手段１２による補正量や基本噴射量から減算させるようにしてもよい。
【００５４】
・また、上記実施形態では、アルコール補正抑制手段１５による減量補正量をアルコール補正量から減算させているが、アルコール濃度、吸気ポートの温度等からアルコール補正量を算出するマップを用いて、直接アルコール補正量を算出しても良い。なお、このマップは、同じアルコール濃度で、吸気ポートの温度が所定範囲の場合には、吸気ポートの温度が所定範囲でない場合に比べ、アルコール補正量が小さくなるように設定されている。
【００５５】
・上記実施形態では、始動時温度が所定範囲であると判定された場合には、噴射量設定手段１３及びアルコール補正量算出手段１４により設定した噴射量を、アルコール補正抑制手段１５により補正することで、所定範囲でないと判定された場合（共沸現象による影響をうけない場合）に比べて始動期間燃料噴射量を小さく設定している。つまり、設定した噴射量を補正することで始動期間燃料噴射量を小さくするよう設定していると言える。本発明はこのように補正を用いた内容に限定されず、始動時温度が所定範囲であると判定された場合には、始動期間燃料噴射量を直接設定（共沸現象による影響をうけない場合に比べて小さく設定）しても良い。
【００５６】
・上記実施形態では、正規燃料としてガソリンを、アルコールとしてエタノールを想定したが、これに限定されることはなく、正規燃料として、軽油を用いても良いし、アルコールとして、他のアルコール類をもちいても良い。
【図面の簡単な説明】
【００５７】
【図１】本発明の一実施形態に係るエンジン制御システムの概要を示す構成図。
【図２】図１のアルコール補正抑制手段により実行される処理内容を示すフローチャート。
【図３】共沸現象による揮発性の変化を計測した試験結果を示すグラフ。
【図４】エンジン始動時のエンジン回転速度の変化を、アルコール混合燃料と正規燃料との各々の場合で計測した試験の試験結果を示すグラフ。
【符号の説明】
【００５８】
１０…ＥＣＵ（設定手段）、１４…アルコール補正量算出手段（設定手段、アルコール混合判定手段）、１５…アルコール補正抑制手段（設定手段、補正手段、始動時温度判定手段）、１６…吸気ポート温度推定手段（設定手段）、３０…エンジン（内燃機関）。
【図１】
2009079582.tif 000003
【図２】
2009079582.tif 000004
【図３】
2009079582.tif 000005
【図４】
2009079582.tif 000006